(57)【特許請求の範囲】
【請求項１】
垂直方向に延長する支持基板上に水平方向に出力軸を有するモータによって垂直面内を回転することにより処理対象である室内の空気を前面方向から吸い込んで上方向に向って流れる吹き出し空気流を生成する送風羽根を有するファンを形成すると共に、上記ファンを裏面方向から囲むことにより上記吹き出し空気流を方向を変えさせることなく上方向に送るようにファンケースを設けてなる処理対象空気吸込部と、
上記処理対象空気吸込部の上側位置において、連結板部材を介して、上記ファンケースを通って上記ファンから送風されて来る吹き出し空気流を上記室内に吹き出す清浄空気吹出部と
を具え、
上記清浄空気吹出部は、上記吹き出し空気流を、上記連結板部材に対して斜めに傾斜するように設けたフィルタに斜めに入射させて表側表面から上記室内の前面方向ないし上方向の開放空間に直接に吹き出させる
ことを特徴とする空気清浄機。
【請求項２】
上記フィルタは、矩形箱型を有する
ことを特徴とする請求項１に記載の空気清浄機。
【発明の詳細な説明】
【技術分野】
【０００１】
本発明は空気清浄機に関し、特に外観上コンパクトで、かつ清浄性能の大きいものを提案しようとするものである。
【背景技術】
【０００２】
従来、外観上コンパクトな構成の空気清浄機として、ファンの前面にフィルタを設け、ファンによってフィルタを介して吸込口から吸い込んだ室内空気を、ファンの上方に設けた吹出口から吹き出させる構成のものが提案されている（特許文献１、２及び３参照）。
【先行技術文献】
【特許文献】
【０００３】
【特許文献１】特開２００７−２９６５２４公報
【特許文献２】特開２００７−１０１７９公報
【特許文献３】特開２０１０−６３５２４公報
【発明の概要】
【発明が解決しようとする課題】
【０００４】
ところが、この従来の空気清浄機は、基本的に、フィルタ及びファンを前後に並べる構成をもっているので、外観上の構成を前後方向に薄型化することが困難で、フィルタ及びファンの厚さを薄くすることにより、空気浄化能力を低下させる結果になっていた。
【０００５】
因に、一般に空気清浄機の性能は、フィルタの体積や、ファンの大きさにより決まるので、薄型にするためには、フィルタ、ファンを薄くすることにより、それぞれの性能を犠牲にしたものしか提案されていなかった。
【０００６】
本発明は以上の構成を考慮してなされたもので、外観上コンパクトな構成でかつ清浄性能の大きい空気清浄機を提案するものである。
【課題を解決するための手段】
【０００７】
かかる課題を解決するため本発明においては、垂直方向に延長する支持基板上に水平方向に出力軸を有するモータによって垂直面内を回転することにより処理対象である室内の空気を前面方向から吸い込んで上方向に向って流れる吹き出し空気流を生成する送風羽根を有するファンを形成すると共に、ファンを裏面方向から囲むことにより吹き出し空気を方向を変えさせることなく上方向に送るようにファンケースを設けてなる処理対象空気吸込部と、処理対象空気吸込部の上側位置において、連結板部材を介して、ファンケースを通ってファンから送風されて来る吹き出し空気流を室内に吹き出す清浄空気吹出部とを具え、清浄空気吹出部は、吹き出し空気流を、連結板部材に対して斜めに傾斜するように設けたフィルタに斜めに入射させて表側表面から室内の前面方向ないし上方向の開放空間に直接に吹き出させるようにする。
【発明の効果】
【０００８】
本発明によれば、ファンによって前面方向から吸い込んだ室内の空気から上方向に向って流れる吹き出し空気流を生成し、ファンケースによってその流れ方向を変えさせることなく斜めに設けたフィルタに斜めに入射させ、表側表面から室内の開放空間に直接に吹き出させるようにしたことにより、吹き出し空気流の流れに無用なエネルギーの損失を与えることなく吹き出し空気流を室内の前面方向ないし上方向の開放空間に吹き出させることができ、その結果、フィルタの空気清浄機能を限界まで利用できることにより、ファンや、フィルタの前後方向の幅を薄くすることなく、外観上、前後方向に薄型にしたコンパクトな空気清浄機を実現できる。
【図面の簡単な説明】
【０００９】
【図１】本発明の実施の形態による空気清浄機の全体構成を示す斜視図である。
【図２】図１の空気清浄機の縦断面図である。
【図３】図２のフィルタ保持機構部３２の詳細構成を示す拡大断面図である。
【発明を実施するための形態】
【００１０】
以下図面について、本発明の一実施の形態を詳述する。
【００１１】
図１において、１は全体として空気清浄機を示し、処理対象空気である室内空気を処理対象空気吸込部２において吸い込むと共に、当該処理対象空気を清浄空気吹出部３において空気清浄処理をした後、室内に吹き出させる。
【００１２】
処理対象空気吸込部２は、図２に示すように、モータ１１によって垂直面内を回転する送風羽根１２によって送風動作をするファン１３を有する。
【００１３】
モータ１１は、処理対象空気吸込部２の前面位置において垂直方向に延長する長方形状の支持基板１４の中央位置において、水平方向に回転出力軸を支持するように支持基板１４の後面に取り付けられており、これによりファン１３の送風羽根１２によって形成された空気流ＷＤが、処理対象空気吸込部２の上部において清浄空気吹出部３との境界位置に設けられた送風口１５を通って清浄空気吹出部３に送風される。
【００１４】
支持基板１４には、ファン１３を裏面方向から囲むようにファンケース１６が設けられ、ファン１３によって形成された空気流ＷＤがファンケース１６によって送風口１５を通って清浄空気吹出部３に案内される。
【００１５】
清浄空気吹出部３は、支持基板１４の上端に固着されてファンケース１６を閉塞するように水平方向に延長する長方形状の連結板部材２１（その中央部に送風口１５が穿設されている）を有し、その後端部に垂直方向に、上方に、立ち上がる後面板部材２２が設けられている。
【００１６】
後面板部材２２及び連結板部材２１の左側及び右側端面には、前後方向に延長する左及び右側面板部材２３Ｌ及び２３Ｒが連結されており、これにより連結板部材２１と、後面板部材２２と、左及び右側面板部材２３Ｌ及び２３Ｒによって囲まれた風路空間２４が形成される（風路空間２４内には制御部ＣＯＮが設けられている）。
【００１７】
この風路空間２４は、連結板部材２１を貫通する送風口１５と連通しており、これによりファンケース１６を通って送風された空気流ＷＤを風路空間２４に案内できるようになされている。
【００１８】
この実施の形態の場合、支持基板１４の送風羽根１２と対向する位置において、モータ１１の前方に処理対象空気吸込部２が設けられ、これによりファンケース１６の前面側の空気（すなわち処理対象である室内空気）をファンケース１６内に吸い込むことにより、送風口１５に対する空気流ＷＤを作るようになされている。
【００１９】
風路空間２４の前面側には、フィルタ３１（図１においては一点鎖線で示す）を保持するフィルタ保持機構部３２が形成されている。
【００２０】
この実施の形態の場合、図３に示すように、フィルタ３１は全体として矩形箱型形状に形成され、フィルタ保持機構部３２は当該フィルタ３１の裏面において前後方向に、斜めに、延長する左及び右側縁に下方から当接する棒状の左及び右支持枠体３３Ｌ及び３３Ｒを有し、この左及び右支持枠体３３Ｌ及び３３Ｒが、後面板部材２２の内面上端部位置から連結板部材２１の上面前端部位置まで、所定の角度で下がって行くように設けられている。
【００２１】
これによりフィルタ３１を前方から左及び右支持枠体３３Ｌ及び３３Ｒに当接させるように嵌め込んだとき、フィルタ３１は、連結板部材２１に対して斜めに傾斜し、これにより矢印ａで示すように、その前面が前上方に向くような状態で、フィルタ保持機構部３２によって保持される。
【００２２】
かくして、処理対象空気吸込部２から空気流ＷＤが風路空間２４に送り込まれて来たとき、当該空気流ＷＤはフィルタ３１の後側表面に分配され、その厚みを通ってフィルタ３１の表側表面に抜け出て行く。
【００２３】
当該表側表面に抜け出て行った空気流は、フィルタ３１の厚み部分に配設されている空気清浄部材の清浄機能（集塵、脱臭、殺菌など）により、当該フィルタ３１が本来もっている空気清浄性能に相当する空気清浄処理を受ける。
【００２４】
この実施の形態の場合、連結板部材２１の前端左及び右側縁部に、断面Ｌ字状の係止部材３４Ｌ及び３４Ｒが設けられており、これによりフィルタ３１の下端部を係止することにより、フィルタ３１を左及び右支持枠体３３Ｌ及び３３Ｒ上に安定に保持するようになされている。
【００２５】
同様に、後面板部材２２の上端左及び右側縁部にも、フィルタ３１を安定に保持する係止部材３５Ｌ及び３５Ｒが設けられている。
【００２６】
この実施の形態の場合、図１に示すように、支持基板１４の左及び右側面には、前後方向に幅広の補強板部材１４Ｘが設けられ、これにより支持基板１４による処理対象空気吸込部２の機構及び清浄空気吹出部３の機構の支持強度を大きくすることにより、全体として一段とコンパクトで強度の大きい空気清浄機１を実現している。
【００２７】
補強板部材１４Ｘには、留め金具Ｇが板面に沿って前方に突出するように設けられ、その係止孔を使って係止釘部材によって、処理対象空気吸込部２の支持基板１４をしっかりと固定できるようになされている。
【００２８】
以上の構成によれば、ファン１３を有する処理対象空気吸込部２の上側部に、フィルタ３１を、連結板部材２１に対して斜めに傾斜して、前上方に向く姿勢で保持できるようなフィルタ保持機構部３２を設けるようにしたことにより、フィルタ３１の体積やファン１３の大きさに制限を受けることなく、空気清浄機１全体としての前後方向の厚さを、処理対象空気吸込部２、清浄空気吹出部３の前後幅程度に薄型化し得る。
【００２９】
因に、フィルタ３１は、斜めに配設されていることにより、その本来の体積（目的とする空気清浄性能を得るために必要な）をもっていても、ファン１３を格納している処理対象空気吸込部２の前後方向の幅内に収まるような傾斜角度に選定でき、これにより、ファン１３と、フィルタ３１とを前後方向に並べる構成に比して、空気清浄機１全体としての外観上の前後幅を一段と薄型にコンパクトにできる。
【００３０】
なお上述の実施の形態においては、処理対象空気吸込部２の前面側から吸い込んだ処理対象空気を、清浄空気吹出部３によって前面方向に吹き出すようにフィルタ３１を傾斜させたが、清浄空気吹出部３のフィルタ３１の傾斜方向としては、これに限らず、後面側方向や、左又は右側方向や、その中間角度方向に吹き出すようにしても良く、要は処理対象空気吸込部２から風路空間２４に送風されて来る空気流ＷＤに対して、斜めの方向に傾斜したフィルタ３１によって受けるようにすれば、上述の場合と同様の効果を得ることができる。
【産業上の利用可能性】
【００３１】
本発明はコンパクトな空気清浄機を得る場合に利用できる。
【符号の説明】
【００３２】
１……空気清浄機、２……処理対象空気吸込部、３……清浄空気吹出部、１１……モータ、１２……送風羽根、１３……ファン、１４……支持基板、１５……送風口、１６……ファンケース、２１……連結板部材、２２……後面板部材、２３Ｌ及び２３Ｒ……左側及び右側面板部材、２４……風路空間、３１……フィルタ、３２……フィルタ保持機構部、３３Ｌ及び３３Ｒ……左及び右支持枠体、３４Ｌ及び３４Ｒ、３５Ｌ及び３５Ｒ……係止部材。
【図１】
0005917047.tif 000002
【図２】
0005917047.tif 000003
【図３】
0005917047.tif 000004